(57)【特許請求の範囲】
【請求項１】
円周方向に大径側程歯幅が縮小する周歯が外周に設けられ、正逆回転されるスプロケットと、
可撓性を有しかつ前記周歯に対応した噛合孔が設けられて前記周歯先端が上面から突出する状態で前記スプロケットに噛合され、前記スプロケットの正逆回転に伴い正逆周回されて窓ガラスを昇降させる長尺体と、
前記長尺体及びスプロケットを被覆して設けられ、前記長尺体の前記スプロケットへの噛合を案内する外周ガイドと、
前記スプロケット径方向において前記周歯先端に対向して前記外周ガイド内壁に設けられた歯逃し部と、
前記スプロケットに噛合された前記長尺体に前記スプロケット径方向において対向しかつ前記周歯先端より前記スプロケット回転軸側に位置して前記外周ガイド内壁に設けられた挟持部と、
を備えたウインドウレギュレータ。
【請求項２】
前記噛合孔を前記長尺体の幅方向略中央に設け、前記歯逃し部の前記スプロケット軸方向両側の前記外周ガイド内壁に前記挟持部を設けた、ことを特徴とする請求項１記載のウインドウレギュレータ。
【請求項３】
前記噛合孔を前記長尺体の幅方向略中央に設け、前記歯逃し部の前記スプロケット軸方向のいずれか一方側の前記外周ガイド内壁に前記挟持部を設けた、ことを特徴とする請求項１記載のウインドウレギュレータ。
【発明の詳細な説明】
【０００１】
【発明の属する技術分野】
本発明は、車両ドアに装着された窓ガラスを開閉するウインドウレギュレータに関する。
【０００２】
【従来の技術】
車両ドアに装着された窓ガラスを開閉するウインドウレギュレータは、例えば、車両ドア内にモータを備えており、モータは正転または逆転する。モータにはスプロケットが設けられており、モータの正転または逆転に伴いスプロケットが正転または逆転する。スプロケットの外周には周歯が設けられており、この周歯には可撓性を有するテープがテープに設けられた噛合孔によって噛合している。車両ドア内の上部及び下部にはテープガイドがそれぞれ設けられており、テープはスプロケットの他、この一対のテープガイドに周回可能に張設されている。テープにはキャリアプレートが固定されており、テープの正周回または逆周回に伴いキャリアプレートが上昇または下降する。また、キャリアプレートには窓ガラスが固定されている。このため、モータの正転または逆転に伴いスプロケットが正転または逆転するとテープが正周回または逆周回され、これにより、キャリアプレートが上昇または下降して窓ガラスを上昇または下降させる。
【０００３】
ここで、このようなウインドウレギュレータでは、スプロケット周歯の高さをテープの肉厚より大きくすることにより、スプロケットにテープが噛合された状態でスプロケット周歯先端をテープ上面から突出させており、これにより、テープをスプロケットに確実に噛合させている。
【０００４】
さらに、外周にテープが噛合した状態のスプロケットは外周カバーによって被覆されており、外周カバーが可撓性を有するテープのスプロケットへの噛合を案内している。この外周カバーでは、スプロケット径方向においてスプロケット周歯先端に対向する内壁とスプロケットに噛合されたテープに対向する内壁とは面一とされており、このため、テープ上面から突出したスプロケット周歯先端の近傍にこの外周カバー内壁を配置することにより、スプロケット周歯先端が外周カバー内壁に接触してスプロケットの回転が阻害されることを防止している。
【０００５】
しかしながら、このようなウインドウレギュレータでは、外周カバーのスプロケット周歯先端に対向する内壁とテープに対向する内壁とは面一とされているため、テープ上面から突出したスプロケット周歯先端の近傍にこの外周カバー内壁を配置しても、外周カバー内壁とテープ上面とのクリアランスが大きくなる。これにより、窓ガラスの上昇完了時や下降完了時等のような窓ガラスのロック時には（特にテープのスプロケットへの噛合歯数が少ない場合には）、テープがスプロケット周歯基端から浮き上がり（離間し）、スプロケット周歯先端がテープに接触してテープをこじる場合があり、このため、スプロケット周歯先端がテープを損傷してテープの耐久寿命を著しく低下させるという問題がある。
【０００６】
さらに、スプロケットの周歯は、歯基端部と歯先端部の歯幅が同一のものが用いられているため、この周歯へのテープの取付性が悪く、また、スプロケットの径が小さい場合、テープの伸び性やテープの引張り力によっては、テープの逃げ場がなく、テープとスプロケットが過剰応力状態で噛合回転することになり、静粛性の面で問題を生じている。
【０００７】
【発明が解決しようとする課題】
本発明は上記事実を考慮し、スプロケットに噛合する長尺体の損傷を防止して長尺体の耐久寿命を向上できるウインドウレギュレータを得ることが目的である。
【０００８】
【課題を解決するための手段】
請求項１に記載のウインドウレギュレータは、円周方向に大径側程歯幅が縮小する周歯が外周に設けられ、正逆回転されるスプロケットと、可撓性を有しかつ前記周歯に対応した噛合孔が設けられて前記周歯先端が上面から突出する状態で前記スプロケットに噛合され、前記スプロケットの正逆回転に伴い正逆周回されて窓ガラスを昇降させる長尺体と、前記長尺体及びスプロケットを被覆して設けられ、前記長尺体の前記スプロケットへの噛合を案内する外周ガイドと、前記スプロケット径方向において前記周歯先端に対向して前記外周ガイド内壁に設けられた歯逃し部と、前記スプロケットに噛合された前記長尺体に前記スプロケット径方向において対向しかつ前記周歯先端より前記スプロケット回転軸側に位置して前記外周ガイド内壁に設けられた挟持部と、を備えている。
【０００９】
請求項１に記載のウインドウレギュレータによれば、スプロケットの周歯先端が長尺体の上面から突出する状態で長尺体がスプロケットに噛合している。また、長尺体及びスプロケットは外周ガイドに被覆されており、外周ガイドによって長尺体のスプロケットへの噛合が案内されている。
【００１０】
ここで、外周ガイド内壁に設けられた歯逃し部はスプロケット径方向においてスプロケット周歯先端に対向しているため、この歯逃し部によってスプロケット周歯先端が外周ガイド内壁に接触することが防止され、これにより、スプロケットの回転が阻害されることを防止することができる。
【００１１】
さらに、スプロケットに噛合された長尺体にスプロケット径方向において対向して外周ガイド内壁に設けられた挟持部は、スプロケット周歯先端よりスプロケット回転軸側に位置しているため、この挟持部によって長尺体上面と外周ガイド内壁とのクリアランスが小さくなる。このため、窓ガラスの上昇完了時や下降完了時等のような窓ガラスのロック時に（特に長尺体のスプロケットへの噛合歯数が少ない場合に）、この挟持部に長尺体が当接することにより、可撓性を有するテープがスプロケット周歯基端から浮き上がる（離間する）ことを抑制して、長尺体がスプロケット周歯先端に接触することを防止できる。これにより、スプロケット周歯先端が長尺体をこじることを防止でき、長尺体の損傷を防止して長尺体の耐久寿命を向上させることができる。
【００１２】
このように、請求項１に記載のウインドウレギュレータでは、外周ガイド内壁にスプロケット周歯先端に対向した歯逃し部及び長尺体に対向した挟持部をそれぞれ設けたため、スプロケット周歯先端が外周ガイド内壁に接触することを防止しつつ長尺体がスプロケット周歯先端に接触することを防止することにより、長尺体の損傷を防止して長尺体の耐久寿命を向上させることができる。
【００１３】
また、外周ガイド内壁の挟持部は、スプロケット周歯先端よりスプロケット回転軸側に位置するため、この挟持部に長尺体が当接することにより、長尺体の噛合孔がスプロケットの周歯から離脱することを防止できる。したがって、長尺体がスプロケットから外れることを防止することができる。
【００１４】
さらに、スプロケットの周歯は、円周方向に大径側程歯幅が縮小するようにその外周に形成されているため、この周歯への長尺体の取付性を向上でき、また、スプロケットの径が小さい場合には、長尺体の伸び性や長尺体の引張り力による長尺体の長さの変動を吸収することにより、長尺体とスプロケットとの噛合回転をスムーズにして静粛性を得ることができる。
【００１５】
請求項２に記載のウインドウレギュレータは、請求項１に記載のウインドウレギュレータにおいて、前記噛合孔を前記長尺体の幅方向略中央に設け、前記歯逃し部の前記スプロケット軸方向両側の前記外周ガイド内壁に前記挟持部を設けた、ことを特徴としている。
【００１６】
請求項２に記載のウインドウレギュレータによれば、窓ガラスのロック時には、歯逃し部のスプロケット軸方向両側の外周ガイド内壁に設けられた挟持部に長尺体の噛合孔を挟んだ幅方向両側が当接する。これにより、長尺体がスプロケット周歯先端に接触することを確実に防止でき、長尺体の損傷を確実に防止して長尺体の耐久寿命を一層向上させることができる。
【００１７】
請求項３に記載のウインドウレギュレータは、請求項１に記載のウインドウレギュレータにおいて、前記噛合孔を前記長尺体の幅方向略中央に設け、前記歯逃し部の前記スプロケット軸方向のいずれか一方側の前記外周ガイド内壁に前記挟持部を設けた、ことを特徴としている。
【００１８】
請求項３に記載のウインドウレギュレータによれば、歯逃し部のスプロケット軸方向のいずれか一方側の外周ガイド内壁のみに挟持部を設けたため、外周ガイドの内壁に挟持部を１箇所のみ設ければよく、これにより、外周ガイドの成形を容易にすることができる。
【００１９】
【発明の実施の形態】
図１には、本発明の実施の形態に係るウインドウレギュレータ１０の主要部が断面図にて示されており，図２には、ウインドウレギュレータ１０の概略構成が平面図にて示されている。また、図３及び図４には、ウインドウレギュレータ１０の主要部が平面図にて示されている。
【００２０】
本発明の実施の形態に係るウインドウレギュレータ１０は、車両ドア内にモータ１２を備えており、モータ１２は正転または逆転する。モータ１２はハウジング１４に収納されている。
【００２１】
モータ１２にはハウジング１４から突出させてスプロケット１６が設けられている。スプロケット１６は略円盤状とされており、モータ１２の正転または逆転に伴いスプロケット１６が正転または逆転する。スプロケット１６の外周には周歯１８が設けられており、この周歯１８によってスプロケット１６には後述するテープ２０が噛合している。また、スプロケット１６の周歯１８は、円周方向に大径側程歯幅が縮小するようにその外周に形成されており、これにより、この周歯１８へのテープ２０の取付性を向上させている。
【００２２】
スプロケット１６の外周には長尺体としての可撓性を有するテープ２０が設けられている。テープ２０の幅方向中央にはスプロケット１６の周歯１８に対応して噛合孔２２が長尺方向へ所定ピッチで複数設けられており、この噛合孔２２がスプロケット１６の周歯１８に係合することにより、スプロケット１６にテープ２０が噛合している。
【００２３】
ここで、スプロケット１６周歯１８の高さはテープ２０の肉厚より大きくされており、このため、スプロケット１６にテープ２０が噛合した状態ではスプロケット１６周歯１８先端がテープ２０上面から突出している。これにより、テープ２０をスプロケット１６に確実に噛合させている。
【００２４】
テープ２０を外周に噛合した状態のスプロケット１６は平面視で略扇状の外周ガイド２４によって被覆されている。外周ガイド２４の円弧部分は、可撓性を有するテープ２０のスプロケット１６への噛合を案内している。
【００２５】
またここで、図５には、（Ａ）において外周ガイド２４が平面図にて示されると共に、（Ｂ）において外周ガイド２４が側面図にて示されており、さらに、（Ｃ）において外周ガイド２４が裏面図にて示されている。
【００２６】
図１及び図５に詳細に示す如く、外周ガイド２４の円弧部分の内壁には、スプロケット１６周歯１８先端にスプロケット１６径方向において対向して歯逃し部２６が設けられている。これにより、スプロケット１６周歯１８先端が外周ガイド２４内壁に接触してスプロケット１６の回転が阻害されることを防止している。
【００２７】
また、外周ガイド２４の円弧部分の内壁には、スプロケット１６に噛合されたテープ２０にスプロケット１６径方向において対向して挟持部２８が設けられている。挟持部２８はスプロケット１６周歯１８先端よりスプロケット１６回転軸側に位置しており、これにより、テープ２０上面と外周ガイド２４内壁とのクリアランスが小さくされている。このため、この挟持部２８にテープ２０が当接することにより、可撓性を有するテープ２０がスプロケット１６周歯１８基端から浮き上がる（離間する）ことを抑制して、テープ２０がスプロケット１６周歯１８先端に接触することが防止されている。
【００２８】
さらに、挟持部２８は歯逃し部２６のスプロケット１６軸方向両側の外周ガイド２４内壁に設けられている。このため、この歯逃し部２６のスプロケット１６軸方向両側の挟持部２８にテープ２０の噛合孔２２を挟んだ幅方向両側が当接することにより、テープ２０がスプロケット１６周歯１８先端に接触することが確実に防止されている。
【００２９】
車両ドア内の上部及び下部にはそれぞれ平面視で略半円状のテープガイド３０がその弦部分を互いに対向させた状態で設けられており、テープ２０はスプロケット１６の他、この一対のテープガイド３０の円弧部分に周回可能に張設されている。これにより、スプロケット１６が正転または逆転すると、テープ２０が正周回または逆周回する。
【００３０】
この一対のテープガイド３０間にはガイドレール３２が架け渡されている。ガイドレール３２にはキャリアプレート３４が取り付けられており、キャリアプレート３４はガイドレール３２に案内されて昇降可能とされている。このキャリアプレート３４には上述したテープ２０が固定されており、テープ２０の正周回または逆周回に伴いキャリアプレート３４が上昇または下降する。また、キャリアプレート３４には窓ガラス（図示省略）が固定されている。このため、モータ１２の正転または逆転に伴いスプロケット１６が正転または逆転するとテープ２０が正周回または逆周回され、これにより、キャリアプレート３４が上昇または下降して窓ガラスを上昇または下降させる構成である。
【００３１】
次に、本実施の形態の作用を説明する。
【００３２】
以上の構成のウインドウレギュレータ１０では、スプロケット１６の周歯１８先端がテープ２０の上面から突出する状態でテープ２０がスプロケット１６に噛合している。また、テープ２０及びスプロケット１６は外周ガイド２４に被覆されており、外周ガイド２４によってテープ２０のスプロケット１６への噛合が案内されている。
【００３３】
ここで、外周ガイド２４内壁に設けられた歯逃し部２６はスプロケット１６径方向においてスプロケット１６周歯１８先端に対向しているため、この歯逃し部２６によってスプロケット１６周歯１８先端が外周ガイド２４内壁に接触することが防止され、これにより、スプロケット１６の回転が阻害されることを防止することができる。
【００３４】
さらに、スプロケット１６に噛合されたテープ２０にスプロケット１６径方向において対向して外周ガイド２４内壁に設けられた挟持部２８は、スプロケット１６周歯１８先端よりスプロケット１６回転軸側に位置しているため、この挟持部２８によってテープ２０上面と外周ガイド２４内壁とのクリアランスが小さくなる。このため、窓ガラス（図示省略）の上昇完了時や下降完了時等のような窓ガラスのロック時に（特にテープ２０のスプロケット１６への噛合歯数が少ない場合に）、この挟持部２８にテープ２０が当接することにより、可撓性を有するテープ２０がスプロケット１６周歯１８基端から浮き上がる（離間する）ことを抑制して、テープ２０がスプロケット１６周歯１８先端に接触することを防止できる。これにより、スプロケット１６周歯１８先端がテープ２０をこじることを防止でき、テープ２０の損傷を防止してテープ２０の耐久寿命を向上させることができる。
【００３５】
また、窓ガラスのロック時には、歯逃し部２６のスプロケット１６軸方向両側の外周ガイド２４内壁に設けられた挟持部２８にテープ２０の噛合孔２２を挟んだ幅方向両側が当接する。これにより、テープ２０がスプロケット１６周歯１８先端に接触することを確実に防止でき、テープ２０の損傷を確実に防止してテープ２０の耐久寿命を一層向上させることができる。
【００３６】
このように、本実施の形態に係るウインドウレギュレータ１０では、外周ガイド２４内壁にスプロケット１６周歯１８先端に対向した歯逃し部２６及びテープ２０に対向した挟持部２８をそれぞれ設けたため、スプロケット１６周歯１８先端が外周ガイド２４内壁に接触することを防止しつつテープ２０がスプロケット１６周歯１８先端に接触することを防止することにより、テープ２０の損傷を防止してテープ２０の耐久寿命を向上させることができる。
【００３７】
さらに、外周ガイド２４内壁の挟持部２８は、スプロケット１６周歯１８先端よりスプロケット１６回転軸側に位置するため、この挟持部２８にテープ２０が当接することにより、テープ２０の噛合孔２２がスプロケット１６の周歯１８から離脱することを防止できる。したがって、テープ２０がスプロケット１６から外れることを防止することができる。
【００３８】
さらにまた、スプロケット１６の周歯１８は、円周方向に大径側程歯幅が縮小するようにその外周に形成されているため、この周歯１８へのテープ２０の取付性を向上でき、また、スプロケット１６の径が小さい場合には、テープ２０の伸び性やテープ２０の引張り力によるテープ２０の長さの変動を吸収することにより、テープ２０とスプロケット１６との噛合回転をスムーズにして静粛性を得ることができる。
【００３９】
なお、本実施の形態では、外周ガイド２４内壁の挟持部２８がスプロケット１６周歯１８先端よりスプロケット１６回転軸側に位置した構成としたが、挟持部がスプロケット１６周歯１８先端と平行な位置に位置した構成としても、上記と同様の効果を得ることができる。
【００４０】
また、外周ガイド２４内壁に歯逃し部２６を設けた構成としたが、歯逃し部２６が位置する部分の外周ガイド２４側壁を開放させた構成とすることにより、スプロケット１６周歯１８先端が外周ガイド２４内壁に接触してスプロケット１６の回転が阻害されることを防止してもよい。
（変形例）
図６には、本実施の形態の変形例に係るウインドウレギュレータ５０の主要部が断面図にて示されている。また、図７には、（Ａ）においてウインドウレギュレータ５０の外周ガイド５２が平面図にて示されると共に、（Ｂ）において外周ガイド５２が側面図にて示されており、さらに、（Ｃ）において外周ガイド５２が裏面図にて示されている。
【００４１】
本変形例に係る車両のウインドウレギュレータ５０では、テープ２０を外周に噛合した状態のスプロケット１６が平面視で略扇状の外周ガイド５２によって被覆されている。外周ガイド５２の円弧部分は可撓性を有するテープ２０のスプロケット１６への噛合を案内している。
【００４２】
この外周ガイド５２の円弧部分の内壁には、スプロケット１６周歯１８先端にスプロケット１６径方向において対向して歯逃し部５４が設けられている。これにより、スプロケット１６周歯１８先端が外周ガイド５２内壁に接触してスプロケット１６の回転が阻害されることを防止している。
【００４３】
また、外周ガイド５２の円弧部分の内壁には、スプロケット１６に噛合されたテープ２０にスプロケット１６径方向において対向して挟持部５６が設けられている。挟持部５６はスプロケット１６周歯１８先端よりスプロケット１６回転軸側に位置しており、これにより、テープ２０上面と外周ガイド５２内壁とのクリアランスが小さくされている。このため、この挟持部５６にテープ２０が当接することにより、可撓性を有するテープ２０がスプロケット１６周歯１８基端から浮き上がる（離間する）ことを抑制して、テープ２０がスプロケット１６周歯１８先端に接触することが防止されている。
【００４４】
さらに、挟持部５６は歯逃し部５４のスプロケット１６軸方向上側の外周ガイド５２内壁に設けられると共に、歯逃し部５４のスプロケット１６軸方向下側の外周ガイド５２内壁は歯逃し部５４と面一とされており、これにより、外周ガイド５２の成形を容易にした構成である。
【００４５】
次に、本変形例の作用を説明する。
【００４６】
以上の構成のウインドウレギュレータ５０では、スプロケット１６の周歯１８先端がテープ２０の上面から突出する状態でテープ２０がスプロケット１６に噛合している。また、テープ２０及びスプロケット１６は外周ガイド５２に被覆されており、外周ガイド５２によってテープ２０のスプロケット１６への噛合が案内されている。
【００４７】
ここで、外周ガイド５２内壁に設けられた歯逃し部５４はスプロケット１６径方向においてスプロケット１６周歯１８先端に対向しているため、この歯逃し部５４によってスプロケット１６周歯１８先端が外周ガイド５２内壁に接触することが防止され、これにより、スプロケット１６の回転が阻害されることを防止することができる。
【００４８】
さらに、スプロケット１６に噛合されたテープ２０にスプロケット１６径方向において対向して外周ガイド５２内壁に設けられた挟持部５６は、スプロケット１６周歯１８先端よりスプロケット１６回転軸側に位置しているため、この挟持部５６によってテープ２０上面と外周ガイド５２内壁とのクリアランスが小さくなる。このため、窓ガラス（図示省略）の上昇完了時や下降完了時等のような窓ガラスのロック時に（特にテープ２０のスプロケット１６への噛合歯数が少ない場合に）、この挟持部５６にテープ２０が当接することにより、可撓性を有するテープ２０がスプロケット１６周歯１８基端から浮き上がる（離間する）ことを抑制して、テープ２０がスプロケット１６周歯１８先端に接触することを防止できる。これにより、スプロケット１６周歯１８先端がテープ２０をこじることを防止でき、テープ２０の損傷を防止してテープ２０の耐久寿命を向上させることができる。
【００４９】
このように、本変形例に係るウインドウレギュレータ５０では、外周ガイド５２内壁にスプロケット１６周歯１８先端に対向した歯逃し部５４及びテープ２０に対向した挟持部５６をそれぞれ設けたため、スプロケット１６周歯１８先端が外周ガイド５２内壁に接触することを防止しつつテープ２０がスプロケット１６周歯１８先端に接触することを防止することにより、テープ２０の損傷を防止してテープ２０の耐久寿命を向上させることができる。
【００５０】
さらに、外周ガイド５２内壁の挟持部５６は、スプロケット１６周歯１８先端よりスプロケット１６回転軸側に位置するため、この挟持部５６にテープ２０が当接することにより、テープ２０の噛合孔２２がスプロケット１６の周歯１８から離脱することを防止できる。したがって、テープ２０がスプロケット１６から外れることを防止することができる。
【００５１】
また、歯逃し部５４のスプロケット１６軸方向上側の外周ガイド５２内壁のみに挟持部５６を設け、歯逃し部５４のスプロケット１６軸方向下側の外周ガイド５２内壁は歯逃し部５４と面一とされているため、外周ガイド５２の内壁に挟持部５６を１箇所のみ設ければよく、これにより、外周ガイド５２の成形を容易にすることができる。
【００５２】
さらにまた、スプロケット１６の周歯１８は、円周方向に大径側程歯幅が縮小するようにその外周に形成されているため、この周歯１８へのテープ２０の取付性を向上でき、また、スプロケット１６の径が小さい場合には、テープ２０の伸び性やテープ２０の引張り力によるテープ２０の長さの変動を吸収することにより、テープ２０とスプロケット１６との噛合回転をスムーズにして静粛性を得ることができる。
【００５３】
なお、本変形例では、外周ガイド５２内壁の挟持部５６がスプロケット１６周歯１８先端よりスプロケット１６回転軸側に位置した構成としたが、挟持部がスプロケット１６周歯１８先端と平行な位置に位置した構成としても、上記と同様の効果を得ることができる。
【００５４】
さらに、挟持部５６を歯逃し部５４のスプロケット１６軸方向上側の外周ガイド５２内壁に設けると共に歯逃し部５４のスプロケット１６軸方向下側の外周ガイド５２内壁を歯逃し部５４と面一とした構成としたが、挟持部を歯逃し部５４のスプロケット１６軸方向下側の外周ガイド５２内壁に設けると共に歯逃し部５４のスプロケット１６軸方向上側の外周ガイド５２内壁を歯逃し部５４と面一とした構成としてもよく、この構成によっても、外周ガイド５２の成形を容易にすることができる。
【００５５】
また、外周ガイド５２内壁に歯逃し部５４を設けた構成としたが、歯逃し部５４が位置する部分の外周ガイド５２側壁を開放させた構成とすることにより、スプロケット１６周歯１８先端が外周ガイド５２内壁に接触してスプロケット１６の回転が阻害されることを防止してもよい。
【００５６】
さらにまた、本実施の形態（変形例含む）では、スプロケット１６の駆動手段をモータ１２としたが、スプロケット１６を回転させる駆動手段であれば、手動による手動手段等何れでも構わない。
【図面の簡単な説明】
【図１】本発明の実施の形態に係るウインドウレギュレータの主要部を示す断面図（図４の１−１線断面図）である。
【図２】本発明の実施の形態に係るウインドウレギュレータの概略構成を示す平面図である。
【図３】本発明の実施の形態に係るウインドウレギュレータの主要部を示す平面図である。
【図４】本発明の実施の形態に係るウインドウレギュレータの主要部を示す平面図である。
【図５】（Ａ）は本発明の実施の形態に係るウインドウレギュレータの外周ガイドの平面図であり、（Ｂ）は同様の外周ガイドの側面図である。また、（Ｃ）は同様の外周ガイドの裏面図である。
【図６】本実施の形態の変形例に係るウインドウレギュレータの主要部を示す断面図である。
【図７】（Ａ）は本実施の形態の変形例に係るウインドウレギュレータの外周ガイドの平面図であり、（Ｂ）は同様の外周ガイドの側面図である。また、（Ｃ）は同様の外周ガイドの裏面図である。
【符号の説明】
１０          ウインドウレギュレータ
１２          モータ
１６          スプロケット
１８          周歯
２０          テープ（長尺体）
２２          噛合孔
２４          外周ガイド
２６          歯逃し部
２８          挟持部
５０          ウインドウレギュレータ
５２          外周ガイド
５４          歯逃し部
５６          挟持部
【図１】
0004076680.tif 000002
【図２】
0004076680.tif 000003
【図３】
0004076680.tif 000004
【図４】
0004076680.tif 000005
【図５】
0004076680.tif 000006
【図６】
0004076680.tif 000007
【図７】
0004076680.tif 000008